(57)【特許請求の範囲】
【請求項１】
番組編成時刻に基づき、所定の伝送ブロック構造の番組情報信号を圧縮符号化したデジタル放送信号を第１の放送サービスエリア内に送出する第１の放送局と、この第１の放送局と中継回線を介して接続され、前記第１の放送局から中継回線を介して送出された番組情報信号を受信して信号処理を加えた後、前記第１の放送サービスエリアとは異なる第２の放送サービスエリア内にデジタル放送信号として送出する第２の放送局とを備えたデジタル放送番組中継送出システムであって、
前記第１の放送局は、前記番組情報信号の伝送ブロック中の所定の帰線期間に番組に関する情報を含んだ当該伝送ブロックに対応する第１の付随情報及び当該伝送ブロックより前の伝送ブロックに対応する第２の付随情報を挿入して前記中継回線により送信する付随情報送信手段を備え、
前記第２の放送局は、
前記第１の放送局から前記中継回線を介して到来した番組情報信号を１伝送ブロック格納するメモリと、
前記第１の放送局から前記中継回線を介して到来した番組情報信号を入力して、該番組情報信号に同期したクロック信号を再生する第１のクロック再生手段と、
前記メモリ内の記憶領域を特定するための書き込みアドレスを発生するもので、前記第１の放送局から前記中継回線を介して到来した番組情報信号を前記第１のクロック再生手段で再生されるクロック信号に同期した書き込み速度で前記メモリに書き込み、その書き込みアドレスを発生する書き込み手段と、
自局のクロック信号を再生する第２のクロック再生手段と、
前記書き込み手段でメモリに書き込まれた番組情報信号を前記第２のクロック再生手段で再生されるクロック信号に同期した読み出し速度で読み出し、その読み出しアドレスを発生する読み出し手段と、
前記書き込み手段で発生される書き込みアドレスと、前記読み出し手段で発生される読み出しアドレスとを比較して、書き込み速度が読み出し速度以上になるか否かを判定する判定手段と、
この判定手段による判定結果に基づいて、前記メモリから読み出された番組情報信号中の前記第１の付随情報及び第２の付随情報のうちのいずれか一方を選択して再生処理する再生処理手段とを備えたことを特徴とするデジタル放送番組中継送出システム。
【請求項２】
前記再生処理手段は、
前記第１及び第２の付随情報を格納する付随情報記憶手段と、
この付随情報記憶手段のアドレスを管理して入力番組情報信号から前記第１及び第２の付随情報を抽出して前記付随情報記憶手段の所定アドレスに書き込み、そのアドレス情報を発生する入力制御手段と、
この入力制御手段からのアドレス情報及び前記判定手段による判定結果に基づいて、前記付随情報記憶手段から前記第１及び第２の付随情報のうちいずれか一方を読み出して出力する付随情報再生制御手段とを備えたことを特徴とする請求項１記載のデジタル放送番組中継送出システム。
【請求項３】
番組編成時刻に基づき、所定の伝送ブロック構造の番組情報信号を圧縮符号化したデジタル放送信号を第１の放送サービスエリア内に送出する第１の放送局と、この第１の放送局と中継回線を介して接続され、前記第１の放送局から中継回線を介して送出された番組情報信号を受信して信号処理を加えた後、前記第１の放送サービスエリアとは異なる第２の放送サービスエリア内にデジタル放送信号として送出する第２の放送局とを備えたデジタル放送番組中継送出システムで前記第１の放送局として使用される放送局であって、
前記番組情報信号の伝送ブロック中の所定の帰線期間に番組に関する情報を含んだ当該伝送ブロックに対応する第１の付随情報及び当該伝送ブロックより前の伝送ブロックに対応する第２の付随情報を挿入して前記中継回線により送信する付随情報送信手段を備えたことを特徴とする放送局。
【請求項４】
番組編成時刻に基づき、所定の伝送ブロック構造の番組情報信号を圧縮符号化したデジタル放送信号を第１の放送サービスエリア内に送出する第１の放送局と、この第１の放送局と中継回線を介して接続され、前記第１の放送局から中継回線を介して送出された番組情報信号を受信して信号処理を加えた後、前記第１の放送サービスエリアとは異なる第２の放送サービスエリア内にデジタル放送信号として送出する第２の放送局とを備えたデジタル放送番組中継送出システムにおいて、前記第２の放送局で使用されるデジタル放送信号同期処理装置であって、
前記第１の放送局から前記中継回線を介して到来した番組情報信号を１伝送ブロック格納するメモリと、
前記第１の放送局から前記中継回線を介して到来した番組情報信号を入力して、該番組情報信号に同期したクロック信号を再生する第１のクロック再生手段と、
前記メモリ内の記憶領域を特定するための書き込みアドレスを発生するもので、前記第１の放送局から前記中継回線を介して到来した番組情報信号を前記第１のクロック再生手段で再生されるクロック信号に同期した書き込み速度で前記メモリに書き込み、その書き込みアドレスを発生する書き込み手段と、
自局のクロック信号を再生する第２のクロック再生手段と、
前記書き込み手段でメモリに書き込まれた番組情報信号を前記第２のクロック再生手段で再生されるクロック信号に同期した読み出し速度で読み出し、その読み出しアドレスを発生する読み出し手段と、
前記書き込み手段で発生される書き込みアドレスと、前記読み出し手段で発生される読み出しアドレスとを比較して、前記書き込み速度が前記読み出し速度以上になるか否かを判定する判定手段と、
この判定手段による判定結果に基づいて、前記メモリから読み出された番組情報信号中の前記第１の付随情報及び第２の付随情報のうちのいずれか一方を選択して再生処理する再生処理手段とを備えたことを特徴とするデジタル放送信号同期処理装置。
【請求項５】
前記再生処理手段は、
前記第１及び第２の付随情報を格納する付随情報記憶手段と、
この付随情報記憶手段のアドレスを管理して入力番組情報信号から前記第１及び第２の付随情報を抽出して前記付随情報記憶手段の所定アドレスに書き込み、そのアドレス情報を発生する入力制御手段と、
この入力制御手段からのアドレス情報及び前記判定手段による判定結果に基づいて、前記付随情報記憶手段から前記第１及び第２の付随情報のうちいずれか一方を読み出して出力する付随情報再生制御手段とを備えたことを特徴とする請求項４記載のデジタル放送信号同期処理装置。
【発明の詳細な説明】
【０００１】
【発明の属する技術分野】
この発明は、例えばネット受信放送として使用されるデジタル放送番組中継送出システムとその放送局及びデジタル放送信号同期処理装置に関する。
【０００２】
【従来の技術】
近年、デジタル放送技術の確立に伴い、通信衛星や放送衛星を使用する衛星放送システムではデジタル放送が開始され、さらに地上波放送システムにおいてもデジタル放送への移行が計画されている。
【０００３】
このようなデジタル放送では、種々の開発が進められており、特に従来のアナログ放送で実施されているような例えば親局及び遠隔局を中継回線により結ぶネット受信放送システムの構築が一つの課題となっている。
【０００４】
一方、デジタル放送では、映像・音声以外に画面字幕や番組に付随する各種のデータサービス、さらには遠隔局のシステム制御のための各種の番組素材情報、その他の放送制御情報を、ベースバンド映像信号の垂直ブランキング期間などにデータパケットとして多重して伝送することも求められるようになってきている。
【０００５】
ところで、遠隔局において、親局の映像同期と遠隔局の映像同期とが異なるため、フレームシンクロナイザを用いて親局の映像フレーム周期を遠隔局の映像フレーム周期に合わせる方法が用いられている。
【０００６】
これは、遠隔局に設置されるフレームシンクロナイザに内蔵されたフレームメモリに対し、親局から送られてくる映像の同期信号から再生されるクロックによる書き込みアドレスを発生し、このアドレスによりフレームメモリに映像信号を書き込み、一方遠隔局のシステム同期信号から再生されるクロックによる読み出しアドレスを発生し、このアドレスによりフレームメモリに書き込まれた映像信号を読み出すことにより行われる。
【０００７】
この場合、書き込みクロック周波数と読み出しクロック周波数とに僅かな差があるため、フレームメモリに対する書き込み位相と読み出し位相が徐々に変化し、数時間に１回程度の割合で、書き込み位相と読み出し位相とが追い越し、または追い越されの現象が発生する。
【０００８】
このとき出力画像は同じフレームを２回出力するフレームフリーズ、または１フレーム飛ばすフレームスキップが発生することになる。
【０００９】
【発明が解決しようとする課題】
上記遠隔局において、フレームスキップが発生した場合に、テレビジョン画像については、１フレーム＝３０分の１秒の一瞬の現象のため、違和感などは生じないが、垂直ブランキング期間に重畳されたデータについては、映像画面のスキップとは異なり、例えば字幕データの一部が欠落して、受信画面上で字幕表示が一部行なわれないなどの、目視にて見分けることができるような画面異常が生じることになる。
【００１０】
そこで、この発明の目的は、ネット受信放送を実施する場合に、遠隔局側で発生するフレームスキップ発生に対し効果的に対処することが可能なデジタル放送番組中継送出システムとその放送局及びデジタル放送信号同期処理装置を提供することにある。
【００１１】
【課題を解決するための手段】
この発明に係るデジタル放送番組中継送出システムは、番組編成時刻に基づき、所定の伝送ブロック構造の番組情報信号を圧縮符号化したデジタル放送信号を第１の放送サービスエリア内に送出する第１の放送局と、この第１の放送局と中継回線を介して接続され、第１の放送局から中継回線を介して送出された番組情報信号を受信して信号処理を加えた後、第１の放送サービスエリアとは異なる第２の放送サービスエリア内にデジタル放送信号として送出する第２の放送局とを備えたデジタル放送番組中継送出システムであって、
第１の放送局は、番組情報信号の伝送ブロック中の所定の帰線期間に番組に関する情報を含んだ当該伝送ブロックに対応する第１の付随情報及び当該伝送ブロックより前の伝送ブロックに対応する第２の付随情報を挿入して中継回線により送信する付随情報送信手段を備え、第２の放送局は、第１の放送局から中継回線を介して到来した番組情報信号を１伝送ブロック格納するメモリと、第１の放送局から中継回線を介して到来した番組情報信号を入力して、該番組情報信号に同期したクロック信号を再生する第１のクロック再生手段と、メモリ内の記憶領域を特定するための書き込みアドレスを発生するもので、第１の放送局から中継回線を介して到来した番組情報信号を第１のクロック再生手段で再生されるクロック信号に同期した書き込み速度でメモリに書き込み、その書き込みアドレスを発生する書き込み手段と、自局のクロック信号を再生する第２のクロック再生手段と、書き込み手段でメモリに書き込まれた番組情報信号を第２のクロック再生手段で再生されるクロック信号に同期した読み出し速度で読み出し、その読み出しアドレスを発生する読み出し手段と、書き込み手段で発生される書き込みアドレスと、読み出し手段で発生される読み出しアドレスとを比較して、書き込み速度が読み出し速度以上になるか否かを判定する判定手段と、この判定手段による判定結果に基づいて、メモリから読み出された番組情報信号中の第１の付随情報及び第２の付随情報のうちのいずれか一方を選択して再生処理する再生処理手段とを備えるようにしたものである。
【００１２】
この発明によれば、第１の放送局で、第２の放送局に対し中継回線を介して送出すべき番組情報信号の伝送ブロック中の帰線期間に該伝送ブロックに対応する第１の付随情報が挿入されるとともに、例えば１伝送ブロック前の伝送ブロックに対応する第２の付随情報が挿入されて第２の放送局に送信される。そして、第２の放送局において、第１の放送局からの番組情報信号が該信号に同期した書き込み速度でメモリに書き込まれ、第２の放送局のクロック信号に同期した読み出し速度でメモリに書き込まれた番組情報信号が読み出されるとともに、書き込みアドレスと読み出しアドレスとを比較することで伝送ブロックのスキップの有無が判定される。そして、スキップが発生した場合に、番組情報信号中の第２の付随情報が再生される。
【００１３】
従って、第２の放送局で、伝送ブロックのスキップが発生したとしても、次の伝送ブロックの帰線期間に挿入されている第２の付随情報を再生されるので、スキップ前の付随情報とスキップ後の付随情報とが綺麗につながり、付随情報の欠落を生じさせることなく再生することができる。さらに、第２の放送局で、スキップに対する対応制御を行う必要がなくなる分、第２の放送局の処理負荷は低く抑えられる。
【００１４】
また、上記発明において、再生処理手段は、第１及び第２の付随情報を格納する付随情報記憶手段と、この付随情報記憶手段のアドレスを管理して入力番組情報信号から第１及び第２の付随情報を抽出して付随情報記憶手段の所定アドレスに書き込み、そのアドレス情報を発生する入力制御手段と、この入力制御手段からのアドレス情報及び判定手段による判定結果に基づいて、付随情報記憶手段から第１及び第２の付随情報のうちいずれか一方を読み出して出力する付随情報再生制御手段とを備えたことを特徴とする。
【００１５】
このようにすることより、入力された番組情報信号から第１及び第２の付随情報を付随情報用メモリの所定のアドレスに順次書き込んでいき、フレームスキップが発生したことが通知された際に、付随情報用メモリ中の第２の付随情報存在領域から第２の付随情報を読み出して出力し、通常時に付随情報用メモリ中の第１の付随情報存在領域から第１の付随情報を読み出して出力するだけでよいので、簡単なメモリ処理で第１及び第２の付随情報のいずれかを出力することができる。また、フレームスキップ後の番組情報信号中の第１及び第２の付随情報も付随情報用メモリに記憶され続けることになるので、２回目以降のフレームスキップ発生にも付随情報用メモリ中の第２の付随情報領域から第２の付随情報を読み出すだけで容易に対応可能となる。
【００１６】
【発明の実施の形態】
以下、この発明の実施形態について図面を参照して詳細に説明する。
【００１７】
図１はこの発明に係るデジタル放送番組中継送出システムの一実施形態を示す概略構成図である。
【００１８】
図１において、符号１０は第１の放送局としての親局、符号２０は第２の放送局としての遠隔局を示している。親局１０は、デジタル放送信号、つまりＴＳをアンテナ１１から自局が属する放送サービスエリアに向けて送出する。また、親局１０には、放送中継ネットワークＮＷを介して遠隔局２０が接続される。遠隔局２０は、親局１０から放送中継ネットワークＮＷを介して伝送された中継番組情報と自局の番組情報とをＴＳに変換し、このＴＳをアンテナ２１から自局が属する放送サービスエリアに向けて送出する。
【００１９】
図２は上記親局１０の構成を示すブロック図である。
【００２０】
この親局１０は、同図に示すように、大別すると、フレーム構造の番組情報信号を選択的に出力するスイッチャー（ＳＷ）１０１と、このスイッチャー１０１から出力される番組情報信号としての映像信号をＭＰＥＧ２符号化方式に基づく可変長圧縮符号化を施し、ＭＰＥＧ２トランスポートストリーム（ＴＳ）パケットに変換するエンコーダ（ＥＮＣ）１０２と、このエンコーダ１０２の出力ＴＳパケットに各種制御データをパケット多重するマルチプレクサ（ＭＵＸ）１０３とを備える。
【００２１】
ところで、この実施形態では、スイッチャー１０１とエンコーダ１０２との間にデータ挿入部１０４が介在されている。
【００２２】
さらに、制御系として番組編成データを蓄積するデータサーバ（ＤＳ）１０６と、このデータサーバ１０６に蓄積された番組編成データに基づいて番組に関する例えば字幕情報や放送制御情報といった付随データとしてのＡＮＣデータをデータ挿入部１０４に与える自動番組送出制御装置（ＡＰＣ）１０７とを備えている。
【００２３】
データ挿入部１０４は、自動番組切替制御装置１０７から与えられるＡＮＣデータを、スイッチャー１０１から出力される映像信号のフィールド中の垂直ブランキング期間に挿入する。さらに、データ挿入部１０４は、映像信号のフィールド中の垂直ブランキング期間に２フィールド前のＡＮＣデータを挿入している。
【００２４】
また、この親局には、マルチプレクサ１３から出力されるＴＳ信号を放送中継ネットワークＮＷを介して遠隔局２０に送出するための出力端子１０８と、データ挿入部１０４から出力されるベースバンド形式の映像信号をアナログ中継回線を介して遠隔局２０に送出するための出力端子１０９とが設けられている。
【００２５】
図３は、上記遠隔局２０の構成を示すブロック図である。
【００２６】
この遠隔局２０は、同図に示すように、入力映像同期再生部２０１と、書き込み部２０２と、書き込みアドレス発生部２０３と、フレームメモリ２０４と、システム同期発生部２０５と、読み出しアドレス発生部２０６と、読み出し部２０７と、スキップ判定部２０８と、再生処理部２０９とを備えている。
【００２７】
まず、親局１０から放送中継ネットワークＮＷを介して到来した映像信号は、入力映像同期再生部２０１及び書き込み部２０２に入力される。
【００２８】
入力映像同期再生部２０１は、入力された映像信号に同期したクロック信号を再生し、書き込みアドレス発生部２０３に出力する。書き込みアドレス発生部２０３は、入力されたクロック信号に同期して書き込みアドレスを発生する。
【００２９】
書き込み部２０２は、書き込みアドレス発生部２０３により発生される書き込みアドレスに基づいて映像信号をフレームメモリ２０４に順次書き込む。
【００３０】
システム同期発生部２０５は、自局のクロック信号を読み出しアドレス発生部２０６に出力する。
【００３１】
読み出しアドレス発生部２０６は、入力されたクロック信号に同期して読み出しアドレスを発生する。
【００３２】
読み出し部２０７は、読み出しアドレス発生部２０６により発生される読み出しアドレスに基づいて、フレームメモリ２０４に書き込まれた映像信号を順次読み出す。
【００３３】
スキップ判定部２０８は、書き込みアドレス発生部２０３で発生される書き込みアドレスと、読み出しアドレス発生部２０６で発生される読み出しアドレスとを比較して、書き込みアドレスが読み出しアドレスを追い越すか否かを判定する。
【００３４】
再生処理部２０９は、上記スキップ判定部２０８による判定結果に基づいて、フレームメモリ２０４から読み出された映像信号中の垂直ブランキング期間から現フィールドのＡＮＣデータ及び２フィールド前のＡＮＣデータのうちいずれか一方を再生出力する。
【００３５】
図４は、上記再生処理部２０９の具体的構成を示すブロック図である。
【００３６】
図４において、データバス２０９１上には、入力制御部２０９２、共有メモリ２０９３、ＣＰＵ２０９４、出力制御部２０９５が接続される。
【００３７】
入力制御部２０９２はフレームメモリ２０４から読み出された映像信号から現フィールドのＡＮＣデータ及び２フィールド前のＡＮＣデータを抽出し、共有メモリ２０９３の然るべき領域に転送し、その転送終了後に共有メモリ２０９３上のＡＮＣデータの存在領域をＣＰＵ２０９４に通知する。また、映像部分を出力制御部２０９５に転送する。
【００３８】
共有メモリ２０９３は、数フレーム分のＡＮＣデータを格納する容量を有する。
【００３９】
ＣＰＵ２０９４は、入力制御部２０９２からの通知及びスキップ判定部２０８からの判定結果に基づいて、共有メモリ２０９３からＡＮＣデータを取り込み、出力制御部２０９５に転送する。
【００４０】
出力制御部２０９５は、入力制御部２０９２からの映像信号とＣＰＵ２０９４から転送されたＡＮＣデータとを多重し、出力映像信号として出力する。
【００４１】
次に、上記構成において、以下にその処理動作を説明する。
まず、映像信号は、画面走査方式により、インタレース走査方式とプログレッシブ走査方式とがあり、インタレース走査方式では第１フィールドと第２フィールドの２回の走査により図５に示すごとく映像フレーム１画面が完成する。この場合、ＡＮＣデータは第１フィールドの直前の垂直ブランキング領域及び第２フィールドの直前の垂直ブランキング領域のいずれにも重畳することができる。
【００４２】
一方、プログレッシブ走査方式では、１回の走査により映像フレームが完成する。なお、フレームスキップの現象は、インタレース走査方式の場合と同じように１フレーム単位で発生する。このため、以下の説明ではインタレース走査方式の信号の場合について行うが、フレーム単位というスケール上で取り扱うことにより、プログレッシブ走査方式の場合も全く当てはめることができる。
【００４３】
親局１０のデータ挿入部１０４では、映像信号の垂直ブランキング領域中に、現フィールドのＡＮＣデータを重畳するとともに、２フィールド前のＡＮＣデータを重畳する。なお、図６に示すように、ある時点でのフレームを仮に第Ｍフレームとし、その第１フィールドの直前の垂直ブランキング領域に重畳するＡＮＣデータパケットの番号を（ＡＮＣ＃ｎ）、第２フィールドの直前の垂直ブランキング領域に重畳するＡＮＣデータパケットの番号を（ＡＮＣ＃ｎ＋１）、次の第Ｍ＋１フレームの第１フィールドの直前の垂直ブランキング領域に重畳するＡＮＣデータパケットの番号を（ＡＮＣ＃ｎ＋２）、第２フィールドの直前の垂直ブランキング領域に重畳するＡＮＣデータパケットの番号を（ＡＮＣ＃ｎ＋３）、以下同様に番号を付すものとする。
【００４４】
本実施形態では、データ挿入部１０４にて、第Ｍフレームの第１フィールドの直前の垂直ブランキング領域に重畳するＡＮＣデータパケット（ＡＮＣ＃ｎ）を、さらに１フレーム後の第Ｍ＋１フレームの第１フィールドの直前の垂直ブランキング領域にも再び重畳する。
【００４５】
続いて、第２フィールドの直前の垂直ブランキング領域に重畳するＡＮＣデータパケット（ＡＮＣ＃ｎ＋１）を、１フレーム後の第Ｍ＋１フレームの第２フィールドの直前の垂直ブランキング領域にも再び重畳する。
【００４６】
このように、データ挿入部１０４では、１フレーム後に同じＡＮＣデータを再度多重することにより、各フレーム毎に、本来のＡＮＣデータと１フレーム前のＡＮＣデータとの両方を並べて重畳することになる。このような多重操作により、遠隔局２０側のシンクロナイザにおいて、数時間に１回のフレームスキップが発生した場合にも、失われたフレームに対応するＡＮＣデータパケットは、スキップした次のフレームにも存在するため、それを用いて失われたフレームに対応するＡＮＣデータパケットを出力することができ、簡単なメモリ処理によりデータの連続性が確保される。
【００４７】
一方、遠隔局２０では、親局１０から放送中継ネットワークＮＷを介して到来した映像信号を、書き込み部２０２にて、書き込みアドレス発生部２０３より発生する該映像信号のクロックに同期した書き込みアドレスに基づいてフレームメモリ２０４に１フレーム分書き込む。そして、読み出し部２０７にて、読み出しアドレス発生部２０７より発生する自局のクロックに同期した読み出しアドレスに基づいて、フレームメモリ２０４に書き込まれた映像信号を読み出す。
【００４８】
書き込みアドレス発生部２０３より発生される書き込みアドレス及び読み出しアドレス発生部２０６より発生される読み出しアドレスは、スキップ判定部２０８によって比較され、この比較結果からスキップが発生したか否かを判定される。この判定結果は、再生処理部２０９に通知される。
【００４９】
再生処理部２０９では、フレームメモリ２０４から読み出された１フレーム分の映像信号中の現フィールドのＡＮＣデータパケットと２フィールド前のＡＮＣデータパケットとを、入力制御部２０９２によって、共有メモリ２０９３の然るべき領域に順次転送する。入力制御部２０９２は、ＡＮＣデータの転送が終了すると、ＡＮＣデータの存在領域をＣＰＵ２０９４に通知する。
【００５０】
ＣＰＵ２０９４は、スキップ判定部２０８の判定結果を受けて、スキップが生じていない場合に、共有メモリ２０９３から現フィールドに対応するＡＮＣデータパケットを読み出して出力制御部２０９５に転送する。これに対し、図６に示すごとくスキップが生じた場合に、まず共有メモリ２０９５から第Ｍ＋１フレームの第１フィールドのＡＮＣデータパケットＡＮＣ＃ｎを読み出し、次に第Ｍ＋１フレームの第２フィールドのＡＮＣデータパケットＡＮＣ＃ｎ＋１を読み出す。続いて、共有メモリ２０９５から第Ｍ＋１フレームの第１フィールドのＡＮＣデータパケットＡＮＣ＃ｎ＋２を読み出し、次に第Ｍ＋１フレームの第２フィールドのＡＮＣデータパケットＡＮＣ＃ｎ＋３を読み出す。
【００５１】
以後、ＣＰＵ２０９４は、通常通りの読み出し転送処理を実行する。
【００５２】
以上述べたように上記実施形態では、親局１０のデータ挿入部１０４において、遠隔局２０に対し放送中継ネットワークＮＷを介して送出すべき映像信号のフィールド中の垂直ブランキング期間に現フィールドのＡＮＣデータを挿入するとともに、２フィールド前のＡＮＣデータを挿入して遠隔局２０に送信する。そして、遠隔局２０において、親局１０からの映像信号を該映像信号に同期した書き込みアドレスに基づいてフレームメモリ２０４に書き込み、遠隔局２０のクロック信号に同期した読み出しアドレスに基づいてフレームメモリ２０４に書き込まれた映像信号を読み出すとともに、スキップ判定部２０８により書き込みアドレスと読み出しアドレスとを比較してフレームスキップの有無を判定するようにしている。そして、スキップが発生した場合に、再生処理部２０９によって映像信号中の２フィールド前のＡＮＣデータを再生するようにしている。
【００５３】
従って、遠隔局２０で、フレームスキップが発生したとしても、次のフレームの垂直ブランキング期間に挿入されている２フィールド前のＡＮＣデータが再生されるので、スキップ前のＡＮＣデータとスキップ後のＡＮＣデータとが綺麗につながり、ＡＮＣデータの欠落を生じさせることなく再生することができる。さらに、遠隔局２０で、フレームスキップに対する対応処理が親局１０において行われるため、遠隔局２０の処理負荷を軽減することができる。
【００５４】
さらに、再生処理部２０９において、フレームメモリ２０４から読み出された映像信号中の現フィールドのＡＮＣデータと２フィールド前のＡＮＣデータとを共有メモリ２０９３に格納しておき、フレームスキップ発生が通知された際に、ＣＰＵ２０９４では、共有メモリ２０９３上の２フィールド前のＡＮＣデータを読み出して出力制御部２０９５に転送するだけでよく、以後は通常通りに現フィールドのＡＮＣデータを読み出すだけでよいので、簡単な処理で、ＡＮＣデータを連続させることができる。また、２回目のフレームスキップ発生時にも、同様な処理を行うだけでよいので、フレームスキップの発生に対し常に対応処置を講じることが可能となる。
【００５５】
（その他の実施形態）
なお、この発明は上記各実施形態に限定されるものではない。上記各実施形態では、ＡＮＣデータを丁度１フレーム遅らせて映像信号に重畳する場合について説明したが、少なくとも１フレーム以上であれば同様の効果が得られる。
【００５６】
また、映像信号のフレーム中の水平ブランキング期間にＡＮＣデータを挿入しておくようにしてもよい。
【００５７】
また、上記実施形態では、フレーム構造の映像信号を取り扱う例について説明したが、フレーム構造のものであれば映像以外のものにも柔軟に対応可能である。
【００５８】
また、上記実施形態では、フィールド単位でＡＮＣデータを重畳する例について説明したが、フレーム単位でＡＮＣデータを重畳するようにしてもよい。
【００５９】
さらに、上記実施形態では、フレームメモリを使用する例について説明したが、フィールドメモリ等であってもよい。
【００６０】
その他、システム構成、親局及び遠隔局内の構成、付随データの種類、放送中継ネットワークの種類等についても、この発明の要旨を逸脱しない範囲で種々変形して実施できる。
【００６１】
【発明の効果】
以上詳述したようにこの発明によれば、ネット受信放送を実施する場合に、遠隔局側で発生するフレームスキップ発生に対し効果的に対処することが可能なデジタル放送番組中継送出システムとその放送局及びデジタル放送信号同期処理装置を提供することができる。
【図面の簡単な説明】
【図１】この発明に係るデジタル放送番組中継送出システムの一実施形態を示す概略構成図。
【図２】図１に示した親局の構成を示すブロック図。
【図３】図１に示した遠隔局の構成を示すブロック図。
【図４】図３に示した再生処理部の具体的構成の一例を示すブロック図。
【図５】ＡＮＣデータを重畳した映像信号の構造を示す図。
【図６】上記実施形態のシステム構成における処理動作を説明するための図。
【符号の説明】
１０…親局、
２０…遠隔局、
１０４…データ挿入部、
２０１…入力映像同期再生部、
２０２…書き込み部、
２０３…書き込みアドレス発生部、
２０４…フレームメモリ、
２０５…システム同期発生部、
２０６…読み出しアドレス発生部、
２０７…読み出し部、
２０８…スキップ判定部、
２０９…再生処理部、
ＮＷ…放送中継ネットワーク。
【図１】
0004160294.tif 000002
【図２】
0004160294.tif 000003
【図３】
0004160294.tif 000004
【図４】
0004160294.tif 000005
【図５】
0004160294.tif 000006
【図６】
0004160294.tif 000007